(57)【要約】【課題】優れたデザイン性に加えて利便性や販売性にも優れた中空容器を提供する。【解決手段】開口部２１を有する口部２０と、口部２０が設けられる上部３１、内容物を収容する胴部３２、胴部３２の下端を閉塞する底部３３からなる収容部３０とを備えた中空容器１０であって、胴部３２の一面全体又は収容部３０の全体を、文字、数字、記号又はマークの一種類を立体的に模った立体形状とする。【選択図】図２
0003220273.tif 000002
【実用新案登録請求の範囲】
【請求項１】
開口部を有する口部と、
前記口部が設けられる上部、内容物を収容する胴部、前記胴部の下端を閉塞する底部からなる収容部と、
を備えた中空容器であって、
前記胴部の一面全体が、文字、数字、記号又はマークの一種類を立体的に模った立体形状となっていることを特徴とする中空容器。
【請求項２】
開口部を有する口部と、
前記口部が設けられる上部、内容物を収容する胴部、前記胴部の下端を閉塞する底部からなる収容部と、
を備えた中空容器であって、
前記収容部の全体が、文字、数字、記号又はマークの一種類を立体的に模った立体形状となっていることを特徴とする中空容器。
【考案の詳細な説明】
【技術分野】
【０００１】
本考案は、液体や粉末等を入れて使用される中空容器に関する。
【背景技術】
【０００２】
従来、シャンプー、リンス、化粧品、食品等の容器の分野において、プラスチック製の中空容器が広く使用されている。
近年、他社の容器との差別化や付加価値を高めるために、形状に工夫を施した種々の中空容器が提供されており、例えば、特許文献１にあるように、収容部をジグソーパズル状に形成した中空容器が提供されている。
【先行技術文献】
【特許文献】
【０００３】
【特許文献１】意匠登録第１２６９１９８号公報
【考案の概要】
【考案が解決しようとする課題】
【０００４】
しかしながら、特許文献１に記載された中空容器は、収容部の左右側面にピースの雄噛合部となる凸部と雌噛合部となる凹部を形成するものであり、凸部と凹部の組み合わせを変えて異なるパターンの容器を提供しようとしても、基本的なバリエーション（組み合わせ）としては、凸部と凸部、凸部と凹部、凹部と凹部の３パターンしかなくバリエーションが少ない上に、外観の特徴が凸部と凹部のみでありデザイン性に乏しい。
【０００５】
また、特許文献１に記載された中空容器は、上記したようにバリエーションが３パターンしかないため、容器ごとに異なる内容物を収容しようとしても、内容物が３種類を超える場合には同じ形状の容器を使用せざるを得ない。
【０００６】
一般的に、消費者に対して中空容器を店頭やインターネットのウェブサイトで販売する場合、通常は１個単位での販売であるため、一度に複数個をまとめて販売するには、セット価格を割安に設定するなどの工夫が必要であり、一度に複数個の中空容器を販売するのは難しい。
【０００７】
本考案の目的は、優れたデザイン性に加えて利便性や利益性にも優れた中空容器を提供することにある。
【課題を解決するための手段】
【０００８】
上記の目的を達成するために請求項１に記載の考案は、開口部を有する口部と、前記口部が設けられる上部、内容物を収容する胴部、前記胴部の下端を閉塞する底部からなる収容部と、を備えた中空容器であって、前記胴部の一面全体が、文字、数字、記号又はマークの一種類を立体的に模った立体形状となっていることを特徴とする。
【０００９】
請求項２に記載の考案は、開口部を有する口部と、前記口部が設けられる上部、内容物を収容する胴部、前記胴部の下端を閉塞する底部からなる収容部と、を備えた中空容器であって、前記収容部の全体が、文字、数字、記号又はマークの一種類を立体的に模った立体形状となっていることを特徴とする。
【考案の効果】
【００１０】
本考案によれば、収容部のデザインが文字、数字、記号又はマークの一種類を立体的に模った立体形状となっているので、例えば、本考案の中空容器を組み合わせて、店舗名やブランド名等を表示させることでき、デザイン性の高い中空容器を提供することができる。
また、本考案は、アルファベット文字だけでも２６種類の容器を提供することができ、バリエーションに富んだ容器の提供が可能である。このように、本考案によれば、文字、数字、記号又はマークをモチーフとした多様なデザインの容器を用意できるため、例えば、内容物にボディーソープを収容する場合には、「Ｂ」の形状を模った容器を用いることができ、内容物に応じて適切な容器を使い分けることができる。
さらに、本考案の中空容器であれば、例えば、アルファベットのＡからＺをセット販売にして、一度に２６個の容器を販売することができ、高い利益を得ることができる。
【図面の簡単な説明】
【００１１】
【図１】本考案に係る実施形態の第１例であって、（Ａ）〜（Ｄ）は収容部の全体がアルファベット文字を模った中空容器の正面図である。
【図２】図１（Ｄ）の中空容器の斜視図である。
【図３】本考案に係る実施形態の第２例であって、（Ａ）（Ｂ）は収容部の一面全部に数字を模った立体形状を有する中空容器の正面図である。
【図４】（Ａ）は立体形状が記号である第２例の中空容器の正面図であり、（Ｂ）はその斜視図である。
【図５】立体形状がマークである第２例の中空容器の正面図であり、（Ｂ）はその斜視図である。
【考案を実施するための形態】
【００１２】
以下、本考案に係る中空容器を実施するための形態を、図面を参照して詳細に説明する。先ずは、本考案の実施形態の第１例について、図１及び図２を参照して説明する。
図１及び図２に示すように、中空容器１０は、口部２０と収容部３０とを備えている。中空容器１０は、その素材に樹脂素材であるポリエチレンテレフタレート（ＰＥＴ）等を用いたプラスチック製容器であり、中空成形（ダイレクトブロー）により、口部２０と収容部３０とが一体に成形される。
【００１３】
口部２０は、上端に開口部２１を有し、収容部３０の上部３１から突出する円筒形に形成されている。口部２０の外周面には、雄ネジ２２が形成されており、この雄ネジ２２がキャップや吐出ポンプ（図示せず）の内周面に形成された雌ネジ（図示せず）と螺合することにより、開口部２１が閉塞するようになっている。
【００１４】
収容部３０は、口部２０を有する上部３１と、開口部２１から注入した内容物を収容する胴部３２と、胴部３２の下端を閉塞する底部３３とを備えている。
第１例では、収容部３０の全体が、文字、数字、記号又はマークの一種類を立体的に模った立体形状体３４となっている。立体形状体３４は、文字、数字、記号の場合は線又は点の部分、マークの場合はそのマークの部分を凸部３５とし、その他の部分を凹部３６とすることにより形成される。
【００１５】
立体形状に表される文字としては、アルファベット、平仮名、片仮名等が用いられ、アルファベットは大文字、小文字のどちらでよく、「Ａ」〜「Ｚ」の２６字が用いられる。また、数字は、アラビア数字、ローマ数字のどちらでもよいが、見た目の分かりやすさから「１」「２」「３」等のアラビア数字が好ましい。また、記号としては、例えば「＆」「！」「？」「＋」「−」「×」「÷」「＝」「＠」「．」「→」等種々のものが用いられる。さらに、マークとしては、「ハート」「スペード」「ダイヤ」「クローバー」「星」等が用いられる。
【００１６】
このような第１例の中空容器１０によれば、収容部３０が文字、数字、記号又はマークの一種類を立体的に模った立体形状体３４となっているので、第１例の中空容器１０を組み合わせて、店舗名やブランド名等を表示することができ、意匠性の高いインテリアやオブジェとして使用することができる。
【００１７】
また、第１例の中空容器１０は、アルファベット文字だけでも２６種類の容器を提供することができ、バリエーションに富んだ容器の提供が可能である。このように、第１例の中空容器１０によれば、文字、数字、記号又はマークをモチーフとした多様なデザインの容器を用意できるため、例えば、内容物にボディーソープ、シャンプー、リンスを収容する場合、ボディーソープには「Ｂ」の形状を模った中空容器、シャンプーには「Ｓ」の形状を模った中空容器、リンスには「Ｒ」の形状を模った中空容器を用いることができ、容物に応じて適切な容器を使い分けることができる。
【００１８】
さらに、第１例の中空容器１０は、文字であればアルファベットのＡからＺをセットとして、数字であれば０から９をセットとして、記号であれば数学記号の「＋」「−」等をセットとして、マークであればトランプのマークをセットとして販売することができる。また、個別に販売する場合でも、各中空容器１０を組み合わせて姓名、会社名、店舗名、ブランド名、ドメイン名、電話番号、メッセージ等を表示することができるため、複数の中空容器１０を一度に販売することができる。
【００１９】
次に、本考案の実施形態の第２例について、図３乃至図５を参照して説明する。なお、第１例と同じ構成には同じ符号を付してその説明を省略すると共に、主に第１例と異なる点について説明する。
第２例の中空容器５０は、収容部６０の胴部６１の一面全体が、文字、数字、記号又はマークの一種類を立体的に模った立体形状部６２となっている。立体形状部６２は、第１例の立体形状体と同様に、文字、数字、記号の場合は線又は点の部分、マークの場合はそのマークの部分を凸部６３とし、その他の部分を凹部６４とすることにより形成される。図３乃至図５に示すように、立体形状部６２は、数字、記号、マークが胴部６１の正面から突出するように形成されている。
なお、効果は第１例と同様なので、第１例を援用し、その説明を省略する。
【００２０】
なお、本考案は、上述の実施形態に限定されるものではなく、本考案の要旨を逸脱しない範囲において適宜の変更が可能である。第１例では、立体形状体３４がアルファベット文字であるが、他の平仮名、片仮名等の文字や、数字、記号又はマークを立体形状体としてもよい。また、第２例では、立体形状部６２が数字、記号、マークであるが、文字を立体形状部としてもよい。なお、中空容器は、内容物が見られるように透明が好ましいが、所望の色に着色して半透明や不透明としてもよい。また、本考案の中空容器に収容する内容物は特に制限されない。
【産業上の利用可能性】
【００２１】
本考案の中空容器は、飲料や調味料等の食品、シャンプーやリンス等の化粧品、洗剤等の薬品の容器として好適に用いることができる。また、本考案の中空容器は、内部に透明なオイルとプリザーブドフラワーを封入して、いわゆるハーバリウムの容器としても好適に用いることができる。
【符号の説明】
【００２２】
１０  中空容器
２０  口部
２１  開口部
２２  雄ネジ
３０  収容部
３１  上部
３２  胴部
３３  底部
３４  立体形状体
３５  凸部
３６  凹部
５０  中空容器
６０  収容部
６１  胴部
６２  立体形状部
６３  凸部
６４  凹部
【図１】
0003220273.tif 000003
【図２】
0003220273.tif 000004
【図３】
0003220273.tif 000005
【図４】
0003220273.tif 000006
【図５】
0003220273.tif 000007